(57)【要約】  フローティングオブジェクトの実現方法及び装置である。該方法は、端末装置が、ユーザにより設定される、操作コマンドがそれぞれ設定された１つ又は複数の機能キーを含むフローティングオブジェクトをタッチスクリーンにフローティング表示することと、端末装置がフローティングオブジェクトにおける機能キーに対するユーザの操作をキャプチャする時、該機能キーの操作コマンドを生成して実行することとを含む。本発明の実施例の方法及び装置によれば、動的フローティング可変表示オブジェクトにおいて、ユーザの需要に応じてキー及び操作コマンドを設定することができ、且つタッチスクリーンクリックで物理的キーの機能を代替することにより、使用の柔軟性及び利便性を大幅に向上させ、物理的キーの破損による欠陥を防止する。【選択図】図１
2016500175.tif 000002
【特許請求の範囲】
【請求項１】
端末装置が、ユーザにより設定される、それぞれに操作コマンドが設定された１つ又は複数の機能キーを含むフローティングオブジェクトをタッチスクリーンにフローティング表示することと、
前記端末装置が前記フローティングオブジェクトにおける機能キーに対する前記ユーザの操作をキャプチャする時、前記機能キーの操作コマンドを生成して実行することと、を含むフローティングオブジェクトの実現方法。
【請求項２】
前記端末装置が前記機能キーの操作コマンドを生成して実行するステップは、
前記端末装置が前記操作コマンドを解析した後、システムコマンドとして前記操作コマンドを現在アプリケーションオブジェクトに割り当て、前記現在アプリケーションオブジェクトが前記システムコマンドに基づき前記操作コマンドの応答イベントを実行することを含む請求項１に記載の方法。
【請求項３】
前記端末装置がプロファイルによって、前記フローティングオブジェクトにおける機能キーの表示方式及び／又は操作コマンドを設定し、或いは前記フローティングオブジェクトにおける機能キーに対して追加、変更、又は削除設定を行うことをさらに含む請求項１に記載の方法。
【請求項４】
前記端末装置が前記フローティングオブジェクトに対する前記ユーザの第１特定操作に基づき、前記フローティングオブジェクトの表示位置を移動させることをさらに含む請求項１〜３のいずれか一つに記載の方法。
【請求項５】
前記端末装置が前記フローティングオブジェクトに対する前記ユーザの第２特定操作に基づき、前記フローティングオブジェクトの表示領域に対して拡大、縮小、及び／又は変形を行うことをさらに含む請求項１〜３のいずれか一つに記載の方法。
【請求項６】
端末装置に用いられるフローティングオブジェクトの実現装置であって、
前記端末装置のタッチスクリーンに前記フローティングオブジェクトをフローティング表示するように設定されるフローティングオブジェクト表示制御ユニットと、
前記フローティングオブジェクトにおける１つ又は複数の機能キーを設定し、且つ各々の機能キーの操作コマンドを設定するように設定されるフローティングオブジェクトカスタム設定ユニットと、
ユーザの操作を監視し、前記フローティングオブジェクトにおける機能キーに対する前記ユーザの操作をキャプチャした時、前記機能キーの操作コマンドを生成し、且つ前記操作コマンドの応答イベントを開始するように設定されるフローティングオブジェクト応答制御ユニットと、を備えるフローティングオブジェクトの実現装置。
【請求項７】
前記フローティングオブジェクトに対する前記ユーザの第１特定操作に基づき、前記フローティングオブジェクトの表示位置を移動させるように設定されるフローティングオブジェクト位置変化制御ユニットをさらに備える請求項６に記載の装置。
【請求項８】
前記フローティングオブジェクトカスタム設定ユニットはさらに、プロファイルによって、前記フローティングオブジェクトにおける機能キーの表示方式及び／又は操作コマンドを設定し、或いは前記フローティングオブジェクトにおける機能キーに対して追加、変更、又は削除設定を行うように設定される請求項６又は７に記載の装置。
【請求項９】
前記フローティングオブジェクト表示制御ユニットはさらに、前記フローティングオブジェクトに対する前記ユーザの第２特定操作に基づき、前記フローティングオブジェクトの表示領域に対して拡大、縮小、及び／又は変形を行うように設定される請求項８に記載の装置。
【請求項１０】
前記フローティングオブジェクト応答制御ユニットは、前記操作コマンドを前記端末装置の処理システムに報告することにより、前記操作コマンドの応答イベントを開始するように設定される請求項６又は７に記載の装置。
【発明の詳細な説明】
【技術分野】
【０００１】
本発明はタッチスクリーンを備えた端末装置の技術分野に関し、特にフローティングオブジェクトの実現方法及び装置に関する。
【背景技術】
【０００２】
現在、情報化社会の発展につれて、人々は様々な公共情報を入手しなければならなくなり、タッチスクリーン技術を対話手段とする公共情報伝送システムは、高度なコンピュータ技術を用いて文字、画像、音楽、解説、動画、及びビデオなどの様々な形態で、直感的かつ鮮やかに様々な情報を人々に紹介し、人々に大きな利便性をもたらす。タッチスクリーンは、端末入力装置として、従来から、最も簡単で、使いやすく、自然なヒューマンマシン対話方式である。タッチスクリーンは主として移動体通信端末、公共情報の問い合わせ、産業用制御、軍事指揮、電子ゲーム、歌や料理の注文、及び不動産の前売りなどに用いられる。特に近年、移動体インターネット技術の急速な発展につれて、携帯電話とタブレットをはじめとする３Ｇ（３ｒｄ  Ｇｅｎｅｒａｔｉｏｎ、第３世代）及び４Ｇ（４ｔｈ  Ｇｅｎｅｒａｔｉｏｎ、第４世代）などの移動体インターネット通信インテリジェント端末装置にタッチスクリーン装置が幅広く普及されている。
【０００３】
従来、タッチスクリーン付きのインテリジェント端末装置において、操作効率を向上させるために、ほとんどの装置に物理的キー又は固定仮想ナビゲーションキーはさらに付設される。例えば、Ａｎｄｒｏｉｄ（アンドロイド）スマートフォンに、ユーザがよく用いるリターンキー、メニューキーなどの物理的キーが備えられ、又はＬＣＤ（Ｌｉｑｕｉｄ  Ｃｒｙｓｔａｌ  Ｄｉｓｐｌａｙ、液晶ディスプレイ）画面の底部の仮想ナビゲーションバーに仮想キーが固定される。しかし、これらの両方式は以下の問題や欠陥がある。
【０００４】
１、物理的キーの方式を用いる場合、特に操作頻度が高い物理的キーに対して、キーが破損しやすいので、ユーザは元の物理的キーの機能を果たすことができず、ユーザに種々の不便さを招き、甚だしくは装置が使用不能になることがある。
【０００５】
２、ＬＣＤ画面の底部の仮想ナビゲーションバーに固定される仮想キーの方式を用いる場合、仮想ナビゲーションバーが存在するので、画面の表示領域が減少してしまう。
【０００６】
３、物理的キーの方式であろうと、固定仮想キーの方式であろうと、それらの位置が常に固定されるので、大画面インテリジェント端末などのよく用いられる装置に対して、ユーザは両手で操作しなければならないので、ユーザの片手操作、特に左右モードに慣れる片手操作を満たすことができない。
【０００７】
４、また、上記方式において、キー表示領域が固定されるので、該領域に収容可能なキーイベントオブジェクト数が限られ、且つユーザの習慣に応じて変更不能である。
【発明の概要】
【発明が解決しようとする課題】
【０００８】
本発明の実施例はフローティングオブジェクトの実現方法及び装置を提供し、動的フローティング可変表示オブジェクトにおいて、操作コマンドのカスタム設定を行うことができる。
【課題を解決するための手段】
【０００９】
本発明の実施例はフローティングオブジェクトの実現方法を提供し、
端末装置が、ユーザにより設定される、操作コマンドがそれぞれ設定された１つ又は複数の機能キーを含む前記フローティングオブジェクトをタッチスクリーンにフローティング表示することと、
前記端末装置が、前記フローティングオブジェクトにおける機能キーに対する前記ユーザの操作をキャプチャする時、前記機能キーの操作コマンドを生成して実行することと、を含む。
【００１０】
選択的に、前記端末装置が前記機能キーの操作コマンドを生成して実行するステップは、
前記端末装置が前記操作コマンドを解析した後、システムコマンドとして前記操作コマンドを現在アプリケーションオブジェクトに割り当て、前記現在アプリケーションオブジェクトが前記システムコマンドに基づき前記操作コマンドの応答イベントを実行することを含んでもよい。
【００１１】
選択的に、前記方法は、前記端末装置がプロファイルによって、前記フローティングオブジェクトにおける機能キーの表示方式及び／又は操作コマンドを設定し、或いは前記フローティングオブジェクトにおける機能キーに対して追加、変更、又は削除設定を行うことをさらに含んでもよい。
【００１２】
選択的に、前記方法は、前記端末装置が前記フローティングオブジェクトに対する前記ユーザの第１特定操作に基づき、前記フローティングオブジェクトの表示位置を移動させることをさらに含んでもよい。
【００１３】
選択的に、前記方法は、前記端末装置が前記フローティングオブジェクトに対する前記ユーザの第２特定操作に基づき、前記フローティングオブジェクトの表示領域に対して拡大、縮小、及び／又は変形を行うことをさらに含んでもよい。
【００１４】
本発明の実施例は、端末装置に用いられるフローティングオブジェクトの実現装置をさらに提供し、
前記端末装置のタッチスクリーンに前記フローティングオブジェクトをフローティング表示するように設定されるフローティングオブジェクト表示制御ユニットと、
前記フローティングオブジェクトにおける１つ又は複数の機能キーを設定し、且つ各々の機能キーの操作コマンドを設定するように設定されるフローティングオブジェクトカスタム設定ユニットと、
ユーザの操作を監視し、前記フローティングオブジェクトにおける機能キーに対する前記ユーザの操作をキャプチャする時、前記機能キーの操作コマンドを生成し、且つ前記操作コマンドの応答イベントを開始するように設定されるフローティングオブジェクト応答制御ユニットと、を備える。
【００１５】
選択的に、前記装置は、前記フローティングオブジェクトに対する前記ユーザの第１特定操作に基づき、前記フローティングオブジェクトの表示位置を移動させるように設定されるフローティングオブジェクト位置変化制御ユニットをさらに備えてもよい。
【００１６】
選択的に、前記フローティングオブジェクトカスタム設定ユニットはさらに、プロファイルによって、前記フローティングオブジェクトにおける機能キーの表示方式及び／又は操作コマンドを設定し、或いは前記フローティングオブジェクトにおける機能キーに対して追加、変更、又は削除設定を行うように設定されてもよい。
【００１７】
選択的に、前記フローティングオブジェクト表示制御ユニットはさらに、前記フローティングオブジェクトに対するユーザの第２特定操作に基づき、前記フローティングオブジェクトの表示領域に対して拡大、縮小、及び／又は変形を行うように設定されてもよい。
【００１８】
選択的に、前記フローティングオブジェクト応答制御ユニットは、前記操作コマンドを前記端末装置の処理システムに報告することにより、前記操作コマンドの応答イベントを開始するように設定される。
【発明の効果】
【００１９】
本発明の実施例に係る上記方法及び装置は少なくとも以下の利点を有する。
【００２０】
１．ウィンドウが動的にフローティングすることにより、底部に１列のボタンを追加する従来技術に比べて、表示画面領域を占有せず、タッチスクリーンの表示範囲が減少することがなく、ユーザに利用可能な領域がその分増加する。
【００２１】
２．キー設定をカスタマイズすることにより、ユーザは必要に応じてキーを設定し、キー利用の柔軟性を向上させ、ユーザ体験を向上させる。
【００２２】
３．タッチクリックの方式で物理的キーを代替し、タッチスクリーンクリックにより、物理的キーに対応する機能を実現し、利用の利便性を大幅に向上させ、物理的キーの破損に起因する欠陥を防止する。
【図面の簡単な説明】
【００２３】
ここで説明される図面は、本発明の実施例をさらに理解するためのものであり、本願の一部を構成する。本発明の例示的な実施例及び説明は本発明の技術的解決手段を解釈するためのものであり、本発明の技術的解決手段を不適切に限定するものではない。
【図１】本発明の実施例に係るフローティングオブジェクトの実現装置の構成模式図
【図２】本発明の実施例に係るフローティングオブジェクト応答制御ユニットの操作手順の模式図
【図３】本発明の実施例に係るフローティングオブジェクトカスタム設定ユニットの操作手順の模式図
【図４】本発明の実施例に係るユーザの操作手順の模式図
【発明を実施するための形態】
【００２４】
本実施形態はフローティングオブジェクトの実現方法を提供し、
端末装置が、ユーザにより設定される、操作コマンドがそれぞれ設定された１つ又は複数の機能キーを含むフローティングオブジェクトをタッチスクリーンにフローティング表示することと、
端末装置がフローティングオブジェクトにおける機能キーに対するユーザの操作をキャプチャする時、該機能キーの操作コマンドを生成して実行することと、を含む。
【００２５】
選択的に、端末装置が該機能キーの操作コマンドを生成して実行するステップは、
端末装置が該操作コマンドを解析した後、システムコマンドとして前記操作コマンドを現在アプリケーションオブジェクトに割り当て、前記現在アプリケーションオブジェクトが該システムコマンドに基づき前記操作コマンドの応答イベントを実行することを含んでもよい。
【００２６】
本解決手段は、主として動的フローティング技術により、機能キーをカスタム設定する方法を実現し、ユーザが動的フローティングされるフローティングオブジェクトにおける機能キーを操作する時、現在アプリケーションオブジェクトへの制御を実現することができる。
【００２７】
選択的に、上記解決手段の具体的な実現ステップは主として以下のステップ１〜７を含んでもよい。
【００２８】
ステップ１において、プロファイルからユーザによりカスタマイズされた設定を読み取り、次に、操作コマンドを初期化し、且つカスタマイズされた操作コマンドを、表示されたフローティングオブジェクトと関連付ける。
【００２９】
ステップ２において、最上部表示技術で処理した後、設定されたフローティングオブジェクトを常時に最上部に表示することにより、フローティングオブジェクトウィンドウがユーザ操作インターフェースに表示されるというフローティング効果を実現する。
【００３０】
選択的に、初期化時、フローティングオブジェクトが表示領域の小部分を占有してもよい。
【００３１】
ステップ３において、ユーザの操作（又は行為）をキャプチャし、ユーザがフローティングオブジェクトをクリックして移動させた後、フローティングウィンドウの領域を再配置し、さらにユーザの指の移動又は動作に基づき、ウィンドウの拡大又は縮小表示、及び特殊なアニメーションなどの動的効果を実現することができる。
【００３２】
ステップ４において、それとともに、該フローティングオブジェクト領域における機能キーに対するユーザの操作をキャプチャすることができ、ユーザが操作すると、操作コマンドを構築する。
【００３３】
ステップ５において、ステップ４で構築された操作コマンドをシステムに送信する。
【００３４】
ステップ６において、システムはステップ５で送信された操作コマンドを受信した後、該操作コマンドを変換し、次にシステムコマンドを構築し、且つシステムコマンドを現在オブジェクトに割り当てる。
【００３５】
ステップ７において、現在オブジェクトはシステムが割り当てるシステムコマンドを受信した後、該システムコマンドに対応する操作に応答する。
【００３６】
本発明の実施例を説明する便宜上、以下、図面及び具体的な実施例を参照しながら本発明の技術的解決手段の実施をさらに詳しく説明する。なお、衝突しない場合、本願における実施例及び実施例における特徴を任意に組み合わせることができる。
【００３７】
図１に示されるように、本発明の実施例に係るフローティングオブジェクトの実現装置の構成模式図であり、本実施例に係る装置は主としてフローティングオブジェクト位置変化制御ユニット１０１、フローティングオブジェクト表示制御ユニット１０２、フローティングオブジェクトカスタム設定ユニット１０３、及びフローティングオブジェクト応答制御ユニット１０４を備える。
【００３８】
フローティングオブジェクト位置変化制御ユニット１０１（該モジュールはオプションモジュールである）は、主として、フローティングオブジェクトウィンドウの位置変化を制御し、ユーザの操作をキャプチャすることにより、ウィンドウの位置を再配置又は変更することに用いられる。
【００３９】
フローティングオブジェクト位置変化制御ユニット１０１は、ユーザの第１特定操作に基づき、フローティングオブジェクトの表示位置を移動させることができる。
【００４０】
前記第１特定操作は、フローティングオブジェクトをクリックして移動させること、フローティングオブジェクトをダブルクリックして移動させること、及び前記フローティングオブジェクトをクリックして目標表示領域をクリックすることなどを含む。
【００４１】
フローティングオブジェクト表示制御ユニット１０２は、主として、フローティングオブジェクトを制御してウィンドウフローティング効果を実現することに用いられ、また、フローティングオブジェクト表示制御ユニット１０２はフローティングオブジェクト領域のサイズ、形状の変化などをさらにサポートする。
【００４２】
フローティングオブジェクト表示制御ユニット１０２はユーザの第２特定操作に基づき、前記フローティングオブジェクトの表示領域に対して拡大、縮小、及び／又は変形を行うことができる。
【００４３】
前記第２特定操作は、ユーザの指でフローティングオブジェクトを選択すること、指の動作及び指の移動方向などを含む。
【００４４】
フローティングオブジェクトカスタム設定ユニット１０３は、ユーザにウィンドウインターフェース及び構造をカスタマイズする機能を提供し、それによりカスタム設定機能を実現し、該機能は主としてプロファイルの読み取り、記憶、変更、表示などの機能を含む。
【００４５】
フローティングオブジェクト応答制御ユニット１０４は主として、ユーザの操作を監視することに用いられ、ユーザがフローティングオブジェクト領域でクリックすると、操作コマンドを構築（又は生成）し、且つ該フローティングオブジェクト領域のイベントプロセス及びコマンド割り当てを開始する必要がある。
【００４６】
図２に示されるように、本発明の実施例に係るフローティングオブジェクト応答制御ユニットの操作手順の模式図であり、該フローティングオブジェクト応答制御ユニットは主としてユーザの操作又は行為へのキャプチャを実現し、該ユーザの行為に応答して処理を行う。本実施例の具体的な操作手順は以下のステップ２０１〜２０８を含む。
【００４７】
ステップ２０１において、フローティングオブジェクトを初期化し、ユーザにより定義されたプロファイルでインターフェースを初期化し、ユーザにより予め設定された機能操作インターフェースを表示する。
【００４８】
ステップ２０２において、フローティングオブジェクトを動的に監視し、ユーザの操作を監視することにより、外部操作コマンドに応答する。
【００４９】
ステップ２０３において、外部操作コマンドがあるか否かを判定し、あると、次のステップ２０４を実行し、ないと、ステップ２０２でのユーザ操作の監視を継続する。
【００５０】
ステップ２０４において、操作領域が有効であるか否かを判定し、有効であると、ステップ２０６を実行し、無効であると、ステップ２０５を実行する。
【００５１】
ステップ２０５において、操作領域が無効であると、現在オブジェクトは該操作コマンドを受信する。
【００５２】
ステップ２０６において、操作領域が有効であると、フローティングオブジェクトは該操作コマンドを受信してシステムに転送する。
【００５３】
フローティングオブジェクトが該クリックイベントを受信した後、該クリックイベントを応答モジュールに呼び、応答モジュールが該クリックイベントの領域に基づき、操作コマンドを構築してシステムに割り当て、システムが該操作コマンドを受信した後、該操作コマンドを変換して現在オブジェクトに割り当てる。
【００５４】
ステップ２０７において、システムは該操作コマンドを受信して解析処理し、次にシステムコマンドとして該操作コマンドを現在オブジェクトに送信する。
【００５５】
ステップ２０８において、現在オブジェクトは直接に取得したシステムコマンド又はフローティングオブジェクトを介して間接に取得した操作コマンドに応答し、次に操作コマンドの応答イベントを行う。
【００５６】
図３に示されるように、本発明の実施例に係るフローティングオブジェクトカスタム設定ユニットの操作手順の模式図であり、主としてユーザにカスタマイズされたプロファイルによって、ユーザ自分の好みに応じて、フローティングオブジェクトの設定内容をカスタマイズ、追加、削除、又は変更し、フローティングオブジェクトの操作領域インターフェースのカスタマイズ可能化を実現する。本実施例の具体的な操作手順は以下のステップ３０１〜３１０を含む。
【００５７】
ステップ３０１において、フローティングオブジェクトカスタム設定ユニットを初期化し、フローティングオブジェクトを新規作成し、プロファイル及び機能モジュール／ユニットをローディングする。
【００５８】
プロファイルは設定されていなくてもよく、すでに設定されてもよい。
【００５９】
ステップ３０２において、設定情報があるか否かを判定し、あると、ステップ３０３を実行し、ないと、ステップ３０４を実行する。
【００６０】
ステップ３０３において、ユーザにカスタマイズされたプロファイルを読み取る。
【００６１】
すでにファイルを設定したと、該設定されたファイルを読み取り、且つプロファイルによって機能モジュール／ユニットを初期化する。
【００６２】
ステップ３０４において、デフォルトのプロファイルを読み取る。
【００６３】
ファイルを設定したことがないと、システムのデフォルトのプロファイルを読み取り、ローディングに用いる。
【００６４】
ステップ３０５において、読み取られたプロファイルでフローティングオブジェクトの操作インターフェースの表示内容を初期化し、且つプロファイルの情報に基づき、初期化された操作インターフェースを設定に従ってフローティングオブジェクトに配置する。
【００６５】
ステップ３０６において、プロファイルによってフローティングオブジェクトの設定機能を初期化する。プロファイルの操作コマンドを取得することにより、操作インターフェースにマッチングする機能ブロックを構築する。
【００６６】
ステップ３０７において、機能と表示内容との整合接続を行う。ステップ３０５とステップ３０６で構築された操作インターフェースと操作コマンドによって整合接続を行う。
【００６７】
ステップ３０８において、ユーザが編集変更を行うか否かを判定する。機能ステップにおいて編集変更機能を有し、該機能を開始した後、プロファイルに対して追加、削除、又は変更などの操作を行うことができる。
【００６８】
ステップ３０９において、編集変更プロセスを開始していないと、通常の処理プロセスを継続し、且つ現在の設定変更状態を維持する。
【００６９】
ステップ３１０において、編集変更プロセスを開始した後、好みに応じてカスタム設定を行い、現在の機能インターフェースに対して追加、削除、又は変更などの操作を行い、操作を完了した後、プロファイルを同期更新し、且つユーザによる編集変更を記録ファイルに記憶し、次にローディングプロセスを再ローディングし、ユーザにより新たに編集されたカスタマイズプロファイルに対して再ローディング、初期化、及び整合接続を行う。そのようにしてユーザは新たに編集された操作インターフェースを得る。
【００７０】
図４に示されるように、本発明の実施例に係るユーザの操作手順の模式図である。本実施例の具体的な操作手順は以下のステップ４０１〜４０７を含む。
【００７１】
ステップ４０１において、フローティングオブジェクトを初期化し、ユーザにより設定されたキーを読み取り、該キーを操作インターフェースに設定し、且つフローティング効果を提供する。
【００７２】
ステップ４０２において、タッチスクリーンに対するユーザの操作を監視し、ユーザの外部操作イベントをキャプチャする。
【００７３】
ステップ４０３において、外部操作があるか否かを判定し、ないと、ステップ４０２での監視プロセスを実行し、あると、ステップ４０４を実行する。
【００７４】
ステップ４０４において、操作コマンドを構築する。外部操作があると判定する時、操作領域に基づき、操作コマンドを構築する。
【００７５】
ステップ４０５において、ステップ４０４で構築される操作コマンドをシステムに転送する。
【００７６】
ステップ４０６において、システムが操作コマンドを変換して割り当てる。システムがステップ４０５の操作コマンドを受信した後、該コマンドを変換し、且つ該コマンドを現在オブジェクトに割り当てる。
【００７７】
ステップ４０７において、現在オブジェクトが該コマンドに応答する。ステップ４０６でシステムがコマンドを変換して割り当てる時、現在オブジェクトは該コマンドに基づき応答する。
【００７８】
以上は本発明の好ましい実施例であり、本発明を限定するものではなく、本発明はほかのさまざまな実施例を含んでもよく、本発明の精神及び趣旨を逸脱しない場合、当業者は本発明の実施例に基づき種々の相応な変更や変形を行うことができ、それらの相応な変更や変形は本発明に付する請求項の保護範囲に属する。
【００７９】
勿論、当業者にとって、上記本発明の各モジュール又は各ステップは汎用型コンピューティング装置によって実現されることができ、それらは１つのコンピューティング装置に集積してもよく、複数のコンピューティング装置から構成されるネットワークに分散してもよく、選択的に、それらはコンピューティング装置で実行可能なプログラムコードで実現されてもよいので、記憶装置に記憶されてコンピューティング装置で実行されることができ、必要に応じて、ここでの順序と異なる順序で、示される又は説明されるステップを実行し、又はそれらをそれぞれ各集積回路モジュールに製造し、又はそれらの複数のモジュール又はステップを１つの集積回路モジュールに製造して実現してもよい。このように、本発明の実施例は任意の特定のハードウェアとソフトウェアとの組み合わせに限定されない。
【産業上の利用可能性】
【００８０】
本発明の実施例に係る方法及び装置によれば、動的フローティング可変表示オブジェクトにおいて、ユーザの需要に応じてキー及び操作コマンドを設定することができ、且つタッチスクリーンクリックで物理的キーの機能を代替することにより、使用の柔軟性及び利便性を大幅に向上させ、物理的キーの破損による欠陥を防止する。
【図１】
2016500175.tif 000003
【図２】
2016500175.tif 000004
【図３】
2016500175.tif 000005
【図４】
2016500175.tif 000006
【国際調査報告】
2016500175.tif 000007
2016500175.tif 000008
2016500175.tif 000009
2016500175.tif 000010